(57)【特許請求の範囲】
【請求項１】
冷媒を圧縮する圧縮機と、前記圧縮機により圧縮された冷媒によって加熱対象水を加熱するための熱交換器と、減圧装置と、蒸発器と、を順次環状に接続したヒートポンプ回路と、
前記蒸発器に送風を行う送風ファンと、
前記送風ファンにより前記蒸発器へ送られる外気温度を検出する外気温度検出手段と、
前記蒸発器から流出する冷媒の出口温度を検出する冷媒出口温度検出手段と、
前記ヒートポンプ回路を制御して加熱対象水を加熱する加熱制御手段と、
前記加熱制御手段を実行する場合に、前記送風ファンの回転数を制御する送風ファン制御手段と、を備え、
前記送風ファン制御手段は、
前記外気温度に基づいて、前記送風ファンの回転数を可変に設定する設定手段と、
前記外気温度と前記冷媒の出口温度との差分値が所定の基準値以下の場合に、前記設定手段により設定された回転数を低回転側へ補正する補正手段と、
を含むことを特徴とするヒートポンプ式給湯装置。
【請求項２】
冷媒を圧縮する圧縮機と、前記圧縮機により圧縮された冷媒によって加熱対象水を加熱するための熱交換器と、減圧装置と、蒸発器と、を順次環状に接続したヒートポンプ回路と、
前記蒸発器に送風を行う送風ファンと、
前記送風ファンにより前記蒸発器へ送られる外気温度を検出する外気温度検出手段と、
前記送風ファンの送風により前記蒸発器を通過した送風の出口温度を検出する送風出口温度検出手段と、
前記蒸発器から流出する冷媒の出口温度を検出する冷媒出口温度検出手段と、
前記ヒートポンプ回路を制御して加熱対象水を加熱する加熱制御手段と、
前記加熱制御手段を実行する場合に、前記送風ファンの回転数を制御する送風ファン制御手段と、を備え、
前記送風ファン制御手段は、
前記外気温度に基づいて、前記送風ファンの回転数を可変に設定する設定手段と、
前記送風の出口温度と前記冷媒の出口温度との差分値が所定の基準値以下の場合に、前記設定手段により設定された回転数を低回転側へ補正する補正手段と、
を含むことを特徴とするヒートポンプ式給湯装置。
【請求項３】
冷媒を圧縮する圧縮機と、前記圧縮機により圧縮された冷媒によって加熱対象水を加熱するための熱交換器と、減圧装置と、蒸発器と、を順次環状に接続したヒートポンプ回路と、
前記蒸発器に送風を行う送風ファンと、
前記送風ファンにより前記蒸発器へ送られる外気温度を検出する外気温度検出手段と、
前記送風ファンの送風により前記蒸発器を通過した送風の出口温度を検出する送風出口温度検出手段と、
前記ヒートポンプ回路を制御して加熱対象水を加熱する加熱制御手段と、
前記加熱制御手段を実行する場合に、前記送風ファンの回転数を制御する送風ファン制御手段と、を備え、
前記送風ファン制御手段は、
前記外気温度に基づいて、前記送風ファンの回転数を可変に設定する設定手段と、
前記外気温度と前記送風の出口温度との差分値が所定の基準値以下の場合に、前記設定手段により設定された回転数を低回転側へ補正する補正手段と、
を含むことを特徴とするヒートポンプ式給湯装置。
【請求項４】
前記設定手段は、前記送風ファンの回転数が、前記外気温度が高くなるに連れて段階的に低下するように設定することを特徴とする請求項１から請求項３の何れか１項に記載のヒートポンプ式給湯装置。
【発明の詳細な説明】
【技術分野】
【０００１】
本発明は、ヒートポンプ式給湯装置に関する。
【背景技術】
【０００２】
従来、例えば特許文献１には、外気温に係わらず、室外機ファンの低騒音化を可能にしたヒートポンプ装置が提案されている。このヒートポンプ装置では、外気温が所定の外気温度設定値以下の場合には、外気温度と室外熱交換温度との温度差が一定になるように室外機ファンの回転速度が制御され、また、外気温が所定の外気温度設定値より高い場合には、冷媒系統の低圧側圧力を一定に保つように室外機ファンの回転速度が制御される。
【先行技術文献】
【特許文献】
【０００３】
【特許文献１】特開２００７−１８７３４５号公報
【特許文献２】特開２００８−２０２８２６号公報
【特許文献３】特開２０１０−１８１０５２号公報
【発明の概要】
【発明が解決しようとする課題】
【０００４】
ところで、従来のヒートポンプ給湯装置では、蒸発器の性能が充分に使いきれている場合等、場合によっては送風ファンの回転速度が過剰となってしまい、電力を余分に消費してしまう問題や、送風音を余分に発生させるといった問題があった。また、送風音に限らず、低圧側冷媒回路の圧力上昇に伴い、減圧弁付近から冷媒音が発生しやすくなる等の問題があった。
【０００５】
本発明は、上述のような課題を解決するためになされたもので、送風ファンの過剰な回転を抑制することにより、運転騒音の軽減および消費電力の抑制を図ることのできるヒートポンプ式給湯装置を提供することを目的とする。
【課題を解決するための手段】
【０００６】
本発明に係るヒートポンプ式給湯装置は、冷媒を圧縮する圧縮機と、圧縮機により圧縮された冷媒によって加熱対象水を加熱するための熱交換器と、減圧装置と、蒸発器と、を順次環状に接続したヒートポンプ回路と、蒸発器に送風を行う送風ファンと、送風ファンにより蒸発器へ送られる外気温度を検出する外気温度検出手段と、蒸発器から流出する冷媒の出口温度を検出する冷媒出口温度検出手段と、ヒートポンプ回路を制御して加熱対象水を加熱する加熱制御手段と、加熱制御手段を実行する場合に、送風ファンの回転数を制御する送風ファン制御手段と、を備え、送風ファン制御手段は、外気温度に基づいて、送風ファンの回転数を可変に設定する設定手段と、外気温度と冷媒の出口温度との差分値が所定の基準値以下の場合に、設定手段により設定された回転数を低回転側へ補正する補正手段と、を含むものである。
また、本発明に係るヒートポンプ式給湯装置は、冷媒を圧縮する圧縮機と、圧縮機により圧縮された冷媒によって加熱対象水を加熱するための熱交換器と、減圧装置と、蒸発器と、を順次環状に接続したヒートポンプ回路と、蒸発器に送風を行う送風ファンと、送風ファンにより蒸発器へ送られる外気温度を検出する外気温度検出手段と、送風ファンの送風により蒸発器を通過した送風の出口温度を検出する送風出口温度検出手段と、蒸発器から流出する冷媒の出口温度を検出する冷媒出口温度検出手段と、ヒートポンプ回路を制御して加熱対象水を加熱する加熱制御手段と、加熱制御手段を実行する場合に、送風ファンの回転数を制御する送風ファン制御手段と、を備え、送風ファン制御手段は、外気温度に基づいて、送風ファンの回転数を可変に設定する設定手段と、送風の出口温度と冷媒の出口温度との差分値が所定の基準値以下の場合に、設定手段により設定された回転数を低回転側へ補正する補正手段と、を含むものである。
さらに、本発明に係るヒートポンプ式給湯装置は、冷媒を圧縮する圧縮機と、圧縮機により圧縮された冷媒によって加熱対象水を加熱するための熱交換器と、減圧装置と、蒸発器と、を順次環状に接続したヒートポンプ回路と、蒸発器に送風を行う送風ファンと、送風ファンにより蒸発器へ送られる外気温度を検出する外気温度検出手段と、送風ファンの送風により蒸発器を通過した送風の出口温度を検出する送風出口温度検出手段と、ヒートポンプ回路を制御して加熱対象水を加熱する加熱制御手段と、加熱制御手段を実行する場合に、送風ファンの回転数を制御する送風ファン制御手段と、を備え、送風ファン制御手段は、外気温度に基づいて、送風ファンの回転数を可変に設定する設定手段と、外気温度と送風の出口温度との差分値が所定の基準値以下の場合に、設定手段により設定された回転数を低回転側へ補正する補正手段と、を含むものである。
【発明の効果】
【０００７】
本発明のヒートポンプ式給湯装置によれば、送風ファンの過剰な回転を抑制することができるので、運転騒音の軽減および消費電力の抑制を図ることができる。
【図面の簡単な説明】
【０００８】
【図１】本発明の実施の形態１におけるヒートポンプ式給湯装置の構成を示す図である。
【図２】外気温サーミスタによって取得された外気温度Ｔａｎと送風ファンの回転数ＦＡＮｎの設定値との対応関係を示すマップである。
【図３】本発明の実施の形態１において実行されるルーチンのフローチャートである。
【図４】送風ファンの回転数ＦＡＮｎの補正動作について説明するための図である。
【図５】本発明の実施の形態２において実行されるルーチンのフローチャートである。
【図６】本発明の実施の形態３において実行されるルーチンのフローチャートである。
【発明を実施するための形態】
【０００９】
以下、図面を参照して本発明の実施の形態について説明する。尚、この実施の形態により本発明が限定されるものではない。
【００１０】
実施の形態１．
[実施の形態１の構成]
図１は、本発明の実施の形態１におけるヒートポンプ式給湯装置の構成を示す図である。図１に示すとおり、本実施形態のヒートポンプ式給湯装置は、ヒートポンプユニット１００とタンクユニット２００とを備えている。ヒートポンプユニット１００内には、圧縮機１、熱交換器２、減圧弁３および蒸発器４を冷媒配管１２によって環状に接続したヒートポンプ回路と、蒸発器４に外気を送風するための送風ファン５と、が搭載されている。
【００１１】
タンクユニット２００内には、負荷側媒体である水（給湯水）を熱交換器２に送る送水ポンプ１１と、熱交換器２で加熱されることによって生成した高温水を貯留する貯湯タンク１０と、が搭載されている。送水ポンプ１１は、後述する制御装置６によってそのポンプ回転数を制御することにより、運転・停止の切り替えや流量調整が可能に構成されている。貯湯タンク１０の下部と送水ポンプ１１の吸込口、送水ポンプ１１の吐出口と熱交換器２の水の入口、および熱交換器２の水の出口と貯湯タンク１０の上部は、それぞれ水配管１３で接続されている。本実施の形態では、上述した要素により給湯水回路が構成されている。
【００１２】
また、ヒートポンプユニット１００には、各種温度を検出するためのセンサが複数配置されている。具体的には、ヒートポンプユニット１００における外部に露出する部分には、外気温度を検出する外気温サーミスタ７（外気温度検出手段）が配設されている。また、蒸発器４の冷媒出口部には、蒸発器４に付着した霜を取り除くための霜取り運転の実行判定を行うための霜取り判定サーミスタ８が配設されている。霜取り判定サーミスタ８によれば、蒸発器４から流出する冷媒の温度（冷媒出口温度）を検出することができる（冷媒出口温度検出手段）。更に、蒸発器４の送風出口側には、当該蒸発器４を通過した外気の送風出口温度を検出する送風温サーミスタ９（送風出口温度検出手段）が配設されている。
【００１３】
本実施の形態のヒートポンプ式給湯装置は、制御装置６を備えている。制御装置６は、上述した各種サーミスタ７，８および９からの信号を受信し、これらの信号に基づいて、送水ポンプ１１の回転数制御、圧縮機１の回転数制御、減圧弁３の開度制御および送風ファン５の回転数制御を行う。
【００１４】
[実施の形態１の動作]
次に、本実施の形態１のヒートポンプ式給湯装置での運転動作について説明する。
【００１５】
先ず、本実施の形態１のヒートポンプ式給湯装置の沸き上げ運転動作について説明する。沸き上げ運転とは、ヒートポンプ回路と給湯水回路とを動作させ、貯湯タンク１０の下部から送水ポンプ１１で低温水を流出させて貯湯タンク１０に送水し、熱交換器２で冷媒と熱交換することにより沸き上げて高温水とし、この高温水を貯湯タンク１０の上部に戻す運転動作（加熱制御手段）である。
【００１６】
タンクユニット２００からの沸き上げ運転指示により、ヒートポンプユニット１００は沸き上げ運転を行う。具体的には、ヒートポンプユニット１００のヒートポンプ回路において、圧縮機１から吐出された高温高圧のガス冷媒は、熱交換器２で給湯水回路側へ放熱（水を加熱）しながら温度低下する。このとき、高圧側冷媒圧力が臨界圧以上であれば、冷媒は超臨界状態のまま気液相転移しないで温度低下して放熱する。また、高圧側冷媒圧力が臨界圧以下であれば、冷媒は液化しながら放熱する。つまり、冷媒から放熱された熱を負荷側媒体（ここでは、給湯水回路を流れる水）に与えることで給湯加熱（沸き上げ）を行う。給湯加熱をして熱交換器２から流出した高圧低温の冷媒は、減圧弁３を通過する。
【００１７】
減圧弁３を通過した冷媒は、ここで低圧気液二相の状態に減圧される。減圧弁３を通過した冷媒は、蒸発器４に流入し、そこで外気から吸熱し、蒸発ガス化される。蒸発器４を出た低圧冷媒は、圧縮機１に吸入されて循環し、冷凍サイクルを形成する。
【００１８】
また、給湯水回路側では、貯湯タンク１０内の水が、送水ポンプ１１により貯湯タンク１０の下部から導かれ、水配管１３を通過して熱交換器２内に搬送される。そして、ここで冷媒と熱交換して加熱（沸き上げ）され、水配管１３を通過して貯湯タンク１０の上部から貯湯タンク１０内に流入する。このような沸き上げ運転を行うことにより、貯湯タンク１０の内部には、貯湯タンク１０の上部から下部へ向かって順次高温水が貯められていく。
【００１９】
次に、本実施の形態のヒートポンプ式給湯装置の特徴的動作である沸き上げ運転時の送風ファン５の動作について説明する。沸き上げ運転時の送風ファン５の回転数ＦＡＮｎは、例えば、沸き上げ運転開始時に外気温サーミスタ７によって取得された外気温度Ｔａｎによって設定される。図２は、外気温サーミスタ７によって取得された外気温度Ｔａｎと送風ファン５の回転数ＦＡＮｎの設定値との対応関係を示すマップである。この図に示すとおり、送風ファン５の回転数ＦＡＮｎの設定値は、外気温度Ｔａｎが高くなるに連れて段階的に低回転となるように設定される。外気温度Ｔａｎが高い場合には、蒸発器４内の冷媒と外気との温度差が大きくなるため、当該蒸発器４における吸熱反応はより活発化される。図２に示すマップでは、外気温度Ｔａｎの上昇に応じて送風ファン５の回転数ＦＡＮｎを低回転とすることで、蒸発器４における過剰な吸熱反応を抑制するとともに、消費電力低減および騒音低減を図ることとしている。
【００２０】
ここで、図２に示すマップに基づいて沸き上げ運転時の送風ファン５の回転数ＦＡＮｎを設定することとすると、沸き上げ運転時の送風ファン５の回転数ＦＡＮｎは、外気温度Ｔａｎが変動しない限り一定値に制御されることとなる。しかしながら、沸き上げ運転が進行し、送水ポンプ１１によって熱交換器２に送水される水の温度が徐々に上昇すると、特に外気温度Ｔａｎが高い状況において、ヒートポンプ回路の低圧側の圧力が上昇するとともに蒸発器４の温度が上昇する。この場合、蒸発器４出口の加熱度が大きくなり、冷媒が蒸発しきった状態になり、外気温度Ｔａｎに基づいて設定された送風ファン５の回転数ＦＡＮｎでの送風では過剰となってしまう。
【００２１】
そこで、本発明の実施の形態１のヒートポンプ式給湯装置では、上述した送風ファン５の過剰な回転数を抑制するため、外気温サーミスタ７と、蒸発器４の冷媒出口に取り付けられた霜取り判定サーミスタ８と、を用いて、送風ファン５の回転数制御を行うこととする。以下、フローチャートを参照して送風ファン５の回転数制御の具体的処理について詳細に説明する。
【００２２】
図３は、制御装置６が、沸き上げ運転時の送風ファン５の回転数制御を実行するルーチンのフローチャートである。尚、図３に示すルーチンは、ヒートポンプ式給湯装置の沸き上げ運転が開始されたときに実行されるものである。図３に示すルーチンでは、先ず、送風ファン５の回転数ＦＡＮｎが設定される（ステップ１００）。ここでは、具体的には、外気温サーミスタ７によって外気温度Ｔａｎが取得される。次いで図２に示すマップに従い、外気温度Ｔａｎに対応する回転数ＦＡＮｎが設定される。
【００２３】
次に、送風ファン５の回転数ＦＡＮｎでの送風が過剰か否かが判定される（ステップ１０２）。上述したとおり、沸き上げ運転が進行し、送水ポンプ１１によって熱交換器２に送水される水の温度が上昇すると、蒸発器４の温度が上昇するため送風ファン５の回転数ＦＡＮｎでの送風では過剰となってしまう。このような状態となると、蒸発器４の出口温度が上昇し外気温度と近づくため、外気温度Ｔａｎと霜取り判定温度（冷媒出口温度）Ｔｄｅｆとの差は小さな値となる。したがって、外気温度Ｔａｎと霜取り判定温度Ｔｄｅｆとの差分値を演算することにより、送風ファン５の回転数ＦＡＮｎが過剰な状態であるか否かを精度よく判定することが可能となる。本ステップ１０２では、具体的には、先ず、外気温サーミスタ７および霜取り判定サーミスタ８によって、外気温度Ｔａｎおよび霜取り判定温度Ｔｄｅｆが取得される。次いで、外気温度Ｔａｎと霜取り判定温度Ｔｄｅｆとの差分値（Ｔａｎ−Ｔｄｅｆ）が所定の基準温度Ｔｅ１以下であるか否かが判定される。尚、所定の基準温度Ｔｅ１は、送風ファン５の回転数ＦＡＮｎでの送風が過剰か否かを判定するための基準値として、予め設定された値が読み込まれる。その結果、（Ｔａｎ−Ｔｄｅｆ）≦Ｔｅ１の成立が認められない場合には、現状の送風ファン５の回転数ＦＡＮｎが適切であると判断されて、上記ステップ１０２の処理が繰り返し実行される。
【００２４】
一方、上記ステップ１０２において、（Ｔａｎ−Ｔｄｅｆ）≦Ｔｅ１の成立が認められた場合には、現状の送風ファン５の回転数ＦＡＮｎが過剰であると判断されて、次のステップに移行し、送風ファン５の回転数ＦＡＮｎが低回転側に補正される（ステップ１０４）。図４は、送風ファン５の回転数の補正動作について説明するための図である。この図に示すとおり、送風ファン５の回転数の補正は、回転数ＦＡＮｎをΔＦＡＮｎ低下させることで行われる。尚、送風ファンの回転数ＦＡＮｎには最小値を設定し、ΔＦＡＮｎはこの最小値を下回らない範囲で設定することが好ましい。
【００２５】
図３に示すルーチンでは、次に、沸き上げ終了指示が出されたか否かが判定される（ステップ１０６）。その結果、沸き上げ終了指示が出されていない場合には、上記ステップ１０２の処理が繰り返し実行される。一方、沸き上げ終了指示が出されている場合には、送風ファン５を停止して沸き上げ運転が終了される。
【００２６】
以上説明したとおり、本実施の形態１のヒートポンプ式給湯装置によれば、送風ファン５の回転数が過剰になったことを外気温度Ｔａｎと霜取り判定温度Ｔｄｅｆとから精度よく判定し、送風ファン５の回転数を低回転側へ補正する制御が行われる。これにより、余剰な電力消費を低減するとともに送風音も抑制することができる。また、本実施の形態１のヒートポンプ式給湯装置によれば、低圧側冷媒の圧力上昇が抑制されるので、減圧弁３付近から発生する冷媒音を有効に抑制することができる。
【００２７】
ところで、上述した実施の形態１のヒートポンプ式給湯装置では、送風ファン５の回転数ＦＡＮｎが過剰である場合の補正として、回転数ＦＡＮｎからΔＦＡＮｎ低下させることしているが、例えば、ＦＡＮｎをＦＡＮ（ｎ＋１）へシフトさせる補正を行うこととしてもよい。
【００２８】
また、上述した実施の形態１のヒートポンプ式給湯装置では、外気温度Ｔａｎに応じた送風ファン５の回転数ＦＡＮｎが段階的に設定された図２に示すマップを使用することとしているが、回転数ＦＡＮｎの設定に使用可能なマップはこれに限られず、例えば、外気温度Ｔａｎに応じた送風ファン５の回転数ＦＡＮｎがリニアに設定されたマップでもよい。
【００２９】
実施の形態２．
［実施の形態２の特徴］
次に、図５を参照して、本発明の実施の形態２について説明する。本実施の形態２の装置は、図１に示すハードウェア構成を用いて、制御装置６に後述する図５に示す処理を実行させることにより実現することができる。
【００３０】
上述した実施の形態１のヒートポンプ式給湯装置では、上述した送風ファン５の過剰な回転数を抑制するため、外気温サーミスタ７と、蒸発器４の冷媒出口に取り付けられた霜取り判定サーミスタ８と、を用いて、送風ファン５の回転数制御を行うこととしている。これに対して、本発明の実施の形態２のヒートポンプ式給湯装置では、上述した送風ファン５の過剰な回転数を抑制するため、霜取り判定サーミスタ８と、蒸発器４の送風出口側に取り付けられた送風温サーミスタ９と、を用いて、送風ファン５の回転数制御を行うことを特徴としている。以下、フローチャートを参照して送風ファン５の回転数制御の具体的処理について詳細に説明する。
【００３１】
図５は、制御装置６が、沸き上げ運転時の送風ファン５の回転数制御を実行するルーチンのフローチャートである。尚、図５に示すルーチンは、ヒートポンプ式給湯装置の沸き上げ運転が開始されたときに実行されるものである。図５に示すルーチンでは、先ず、送風ファン５の回転数ＦＡＮｎが設定される（ステップ２００）。ここでは、具体的には、上記ステップ１００と同様の処理が実行される。
【００３２】
次に、送風ファン５の回転数ＦＡＮｎでの送風が過剰か否かが判定される（ステップ２０２）。上述したとおり、沸き上げ運転が進行し、送水ポンプ１１によって熱交換器２に送水される水の温度が上昇すると、蒸発器４の温度が上昇するため送風ファン５の回転数ＦＡＮｎでの送風では過剰となってしまう。この場合、低圧側冷媒回路の圧力が上昇するとともに蒸発器４の温度が上昇するため、蒸発器４出口の加熱度が大きくなる。そして、蒸発器４内の冷媒が完全に蒸発した状態になると、蒸発器４出口の冷媒出口温度と送風ファン５を通過した送風出口温度との温度差が小さな値となる。このため、送風出口温度Ｔａｏと霜取り判定温度Ｔｄｅｆとの差分値を演算することにより、送風ファン５の回転数ＦＡＮｎが過剰な状態であるか否かを精度よく判定することが可能となる。本ステップ２０２では、具体的には、先ず、送風温サーミスタ９および霜取り判定サーミスタ８によって、送風出口温度Ｔａｏおよび霜取り判定温度Ｔｄｅｆが取得される。次いで、送風出口温度Ｔａｏと霜取り判定温度Ｔｄｅｆとの差分値（Ｔａｏ−Ｔｄｅｆ）が所定の基準温度Ｔｅ２以下であるか否かが判定される。尚、所定の基準温度Ｔｅ２は、送風ファン５の回転数ＦＡＮｎでの送風が過剰か否かを判定するための基準値として、予め設定された値が読み込まれる。その結果、（Ｔａｎ−Ｔｄｅｆ）≦Ｔｅ２の成立が認められない場合には、現状の送風ファン５の回転数ＦＡＮｎが適切であると判断されて、上記ステップ２０２の処理が繰り返し実行される。
【００３３】
一方、上記ステップ２０２において、（Ｔａｏ−Ｔｄｅｆ）≦Ｔｅの成立が認められた場合には、現状の送風ファン５の回転数ＦＡＮｎが過剰であると判断されて、次のステップに移行し、送風ファン５の回転数ＦＡＮｎが低回転側に補正される（ステップ２０４）。ここでは、上記ステップ１０４と同様の処理が実行される。
【００３４】
図５に示すルーチンでは、次に、沸き上げ終了指示が出されたか否かが判定される（ステップ２０６）。その結果、沸き上げ終了指示が出されていない場合には、上記ステップ２０２の処理が繰り返し実行される。一方、に再度移行し、沸き上げ終了指示が出されている場合には、送風ファン５を停止して沸き上げ運転が終了される。
【００３５】
以上説明したとおり、本実施の形態２のヒートポンプ式給湯装置によれば、送風ファン５の回転数が過剰になったことを送風出口温度Ｔａｏと霜取り判定温度Ｔｄｅｆとから精度よく判定し、送風ファン５の回転数を低回転側へ補正する制御が行われる。これにより、余剰な電力消費を低減するとともに送風音も抑制することができる。また、本実施の形態１のヒートポンプ式給湯装置によれば、低圧側冷媒の圧力上昇が抑制されるので、減圧弁３付近から発生する冷媒音を有効に抑制することができる。
【００３６】
実施の形態３．
［実施の形態３の特徴］
次に、図６を参照して、本発明の実施の形態３について説明する。本実施の形態３の装置は、図１に示すハードウェア構成を用いて、制御装置６に後述する図６に示す処理を実行させることにより実現することができる。
【００３７】
上述した実施の形態１のヒートポンプ式給湯装置では、上述した送風ファン５の過剰な回転数を抑制するため、外気温サーミスタ７と、蒸発器４の冷媒出口に取り付けられた霜取り判定サーミスタ８と、を用いて、送風ファン５の回転数制御を行うこととしている。これに対して、本発明の実施の形態３のヒートポンプ式給湯装置では、上述した送風ファン５の過剰な回転数を抑制するため、外気温サーミスタ７と、蒸発器４の送風出口側に取り付けられた送風温サーミスタ９と、を用いて、送風ファン５の回転数制御を行うことを特徴としている。以下、フローチャートを参照して送風ファン５の回転数制御の具体的処理について詳細に説明する。
【００３８】
図６は、制御装置６が、沸き上げ運転時の送風ファン５の回転数制御を実行するルーチンのフローチャートである。尚、図６に示すルーチンは、ヒートポンプ式給湯装置の沸き上げ運転が開始されたときに実行されるものである。図６に示すルーチンでは、先ず、送風ファン５の回転数ＦＡＮｎが設定される（ステップ３００）。ここでは、具体的には、上記ステップ１００と同様の処理が実行される。
【００３９】
次に、送風ファン５の回転数ＦＡＮｎでの送風が過剰か否かが判定される（ステップ３０２）。上述したとおり、沸き上げ運転が進行し、送水ポンプ１１によって熱交換器２に送水される水の温度が上昇すると、蒸発器４の温度が上昇するため送風ファン５の回転数ＦＡＮｎでの送風では過剰となってしまう。この場合、低圧側冷媒回路の圧力が上昇するとともに蒸発器４の温度が上昇するため、蒸発器４出口の加熱度が大きくなる。そして、蒸発器４内の冷媒が完全に蒸発した状態になると、蒸発器４における吸熱反応が活発に行われず、外気温度と送風出口温度との温度差が小さな値となる。このため、外気温度Ｔａｎと送風出口温度Ｔａｏの差分値を演算することにより、送風ファン５の回転数ＦＡＮｎが過剰な状態であるか否かを精度よく判定することが可能となる。本ステップ３０２では、具体的には、先ず、送風温サーミスタ９および外気温サーミスタ７によって、送風出口温度Ｔａｏおよび外気温度Ｔａｎが取得される。次いで、外気温度Ｔａｎと送風出口温度Ｔａｏとの差分値（Ｔａｎ−Ｔａｏ）が所定の基準温度Ｔｅ３以下であるか否かが判定される。尚、所定の基準温度Ｔｅ３は、送風ファン５の回転数ＦＡＮｎでの送風が過剰か否かを判定するための基準値として、予め設定された値が読み込まれる。その結果、（Ｔａｎ−Ｔａｏ）≦Ｔｅ３の成立が認められない場合には、現状の送風ファン５の回転数ＦＡＮｎが適切であると判断されて、上記ステップ３０２の処理が繰り返し実行される。
【００４０】
一方、上記ステップ３０２において、（Ｔａｎ−Ｔａｏ）≦Ｔｅ３の成立が認められた場合には、現状の送風ファン５の回転数ＦＡＮｎが過剰であると判断されて、次のステップに移行し、送風ファン５の回転数ＦＡＮｎが低回転側に補正される（ステップ３０４）。ここでは、上記ステップ１０４と同様の処理が実行される。
【００４１】
図６に示すルーチンでは、次に、沸き上げ終了指示が出されたか否かが判定される（ステップ３０６）。その結果、沸き上げ終了指示が出されていない場合には、上記ステップ３０２の処理が繰り返し実行される。一方、沸き上げ終了指示が出されている場合には、送風ファン５を停止して沸き上げ運転が終了される。
【００４２】
以上説明したとおり、本実施の形態３のヒートポンプ式給湯装置によれば、送風ファン５の回転数が過剰になったことを外気温度Ｔａｎと送風出口温度Ｔａｏとから精度よく判定し、送風ファン５の回転数を低回転側へ補正する制御が行われる。これにより、余剰な電力消費を低減するとともに送風音も抑制することができる。また、本実施の形態１のヒートポンプ式給湯装置によれば、低圧側冷媒の圧力上昇が抑制されるので、減圧弁３付近から発生する冷媒音を有効に抑制することができる。
【符号の説明】
【００４３】
１  圧縮機
２  熱交換器
３  減圧弁（減圧装置）
４  蒸発器
５  送風ファン
６  制御装置
７  外気温サーミスタ（外気温度検出手段）
８  霜取り判定サーミスタ（冷媒出口温度検出手段）
９  送風温サーミスタ（送風出口温度検出手段）
１０  貯湯タンク
１１  送水ポンプ
１２  冷媒配管
１３  水配管
１００  ヒートポンプユニット
２００  タンクユニット
【図１】
0005703849.tif 000002
【図２】
0005703849.tif 000003
【図３】
0005703849.tif 000004
【図４】
0005703849.tif 000005
【図５】
0005703849.tif 000006
【図６】
0005703849.tif 000007